(57)【特許請求の範囲】
【請求項１】
利用者を前記被写体とする撮影作業を行わせる撮影部と、
前記撮影作業により得られた前記利用者の画像に対して編集情報を入力する編集作業を行わせる編集部と、
得られた編集済みの前記利用者の画像を所定のシール紙に印刷し、印刷された前記シール紙を排出し、写真シールとして前記利用者に提供する出力部と、
前記撮影部で撮影された前記被写体の前記撮影画像から、前記被写体の人数を検出する検出部と、
前記検出部により２以上の被写体が検出された場合、検出された前記被写体毎に順次画像処理を行う処理部と
を備え、
前記処理部は、
前記撮影画像から、複数の被写体毎の所定の顔領域として、目、鼻、口の領域を除いた、額または顎の領域のうちのいずれかを含む領域を抽出する抽出部と、
前記抽出部により抽出された複数の所定の顔領域毎に、領域内の色または明るさの少なくともいずれかの色味が、前記所定の顔領域毎に設定されている色味になるように補正する補正部と
を備え、
前記処理部による処理は、前記撮影部により撮影されている画像に対して行われるか、前記編集部により編集対象とされている画像に対して行われるか、前記出力部により出力される画像に対して行われか、または、他の装置に対して提供される画像に対して行われ、前記処理部により画像処理が施された画像が前記利用者に提供される
画像処理装置。
【請求項２】
前記補正部は、抽出された前記顔領域内の輝度値の平均値を算出し、その平均値が、前記設定されている色味に関する輝度値に近い値となるように、前記顔領域内の色味を補正する
請求項１に記載の画像処理装置。
【請求項３】
前記抽出部は、前記撮影画像から、前記所定の顔領域として目、鼻、口の領域のうちの少なくとも１つの領域をさらに抽出し、
前記補正部は、抽出された前記目、鼻、口の領域の少なくとも１つに対して、色、位置、大きさのうちの少なくとも１つをさらに補正する
請求項１または２に記載の画像処理装置。
【請求項４】
利用者を前記被写体とする撮影作業を行わせる撮影部と、
前記撮影作業により得られた前記利用者の画像に対して編集情報を入力する編集作業を行わせる編集部と、
得られた編集済みの前記利用者の画像を所定のシール紙に印刷し、印刷された前記シール紙を排出し、写真シールとして前記利用者に提供する出力部と
を備える画像処理装置の画像処理方法において、
前記撮影部で撮影された前記被写体の前記撮影画像から、前記被写体の人数を検出し、
２以上の被写体が検出された場合、検出された前記被写体毎に順次画像処理を行う
ステップを含み、
前記画像処理を行うステップは、
前記撮影画像から、複数の被写体毎の所定の顔領域として、目、鼻、口の領域を除いた、額または顎の領域のうちのいずれかを含む領域を抽出し、
抽出された複数の所定の顔領域毎に、領域内の色または明るさの少なくともいずれかの色味が、前記所定の顔領域毎に設定されている色味になるように補正する
ステップを含み、
前記画像処理は、前記撮影部により撮影されている画像に対して行われるか、前記編集部により編集対象とされている画像に対して行われるか、前記出力部により出力される画像に対して行われか、または、他の装置に対して提供される画像に対して行われ、前記画像処理が施された画像が前記利用者に提供される
画像処理方法。
【請求項５】
利用者を前記被写体とする撮影作業を行わせる撮影部と、
前記撮影作業により得られた前記利用者の画像に対して編集情報を入力する編集作業を行わせる編集部と、
得られた編集済みの前記利用者の画像を所定のシール紙に印刷し、印刷された前記シール紙を排出し、写真シールとして前記利用者に提供する出力部と
を備える画像処理装置の画像処理方法において、
前記撮影部で撮影された前記被写体の前記撮影画像から、前記被写体の人数を検出し、
２以上の被写体が検出された場合、検出された前記被写体毎に順次画像処理を行う
ステップを含み、
前記画像処理を行うステップは、
前記撮影画像から、複数の被写体毎の所定の顔領域として、目、鼻、口の領域を除いた、額または顎の領域のうちのいずれかを含む領域を抽出し、
抽出された複数の所定の顔領域毎に、領域内の色または明るさの少なくともいずれかの色味が、前記所定の顔領域毎に設定されている色味になるように補正する
ステップを含み、
前記画像処理は、前記撮影部により撮影されている画像に対して行われるか、前記編集部により編集対象とされている画像に対して行われるか、前記出力部により出力される画像に対して行われか、または、他の装置に対して提供される画像に対して行われ、前記画像処理が施された画像が前記利用者に提供される
処理をコンピュータに実行させるためのプログラム。
【発明の詳細な説明】
【技術分野】
【０００１】
本技術は、画像処理装置、画像処理方法、並びにプログラムに関する。詳しくは、複数の人物が撮影されたときに、人物毎に最適な写りとなるように補正する画像処理装置、画像処理方法、並びにプログラムに関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。写真シール作成装置によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００３】
このような写真シール作成装置においては、利用者が満足する写真シールを提供するために、撮影された利用者の画像に処理を施す場合がある。例えば、特許文献１においては、被写体の顔上の複数のノードを結線した線分領域から、第１マスク画像、被写体の輪郭を抽出した第２マスク画像、および写真画像のぼかし画像が生成され、第１及び第２マスク画像によりカバーされる領域についての写真画像と、第１及び第２マスク画像によりカバーされる領域以外についてのぼかし画像とを重ね合わせて画像処理を施すことが提案されている。
【０００４】
また、写真シール作成装置ではないが、撮影された利用者の画像に対する画像処理として、被写体の顔状の鼻を跨ぐ部分に定義された領域内の画素値の平均値を基準として、肌色認識して肌領域を示すマスク画像を生成することが提案されている（特許文献２参照）。
【先行技術文献】
【特許文献】
【０００５】
【特許文献１】特開２００６−０３１１９５号公報
【特許文献２】特開２００５−２７６１８２号公報
【発明の概要】
【発明が解決しようとする課題】
【０００６】
複数の利用者が同時に写真シール作成装置を利用することが想定される。そのような写真シール作成装置において、画像毎に所定値になるように画像処理をしてしまうと、１画像に複数人が撮影されたとき、複数人が一律の値になるように画像処理されてしまう。このことにより、人によって地肌の色が異なるため、一方の人物が明るすぎる（地肌が明るい人がさらに明るくなる）場合があり、のっぺりとした印象の撮影画像になってしまう可能性があった。
【０００７】
また、特許文献１の場合、目鼻立ちや輪郭以外である被写体の顔肌部分にぼかし処理を行うことで、目鼻立ちや輪郭のシャープさを保ちつつ肌合いが滑らかで美しい写りの写真画像を提供できるが、被写体の顔肌部分全体にぼかし処理を行うので、表情が乏しくのっぺりとした印象の写真画像になってしまう可能性があった。
【０００８】
また、特許文献２の場合、多種多様な人物画像から肌領域を抽出できるので、被写体の肌領域に画像処理を施すことができるが、被写体の肌領域全体の画像処理を行うことになるため、特許文献１などと同じく、表情が乏しくのっぺりとした印象の撮影画像になってしまう可能性があった。
【０００９】
本技術は、このような状況に鑑みてなされたものであり、撮影された人物毎に、最適な写りとなるような処理が施された画像を利用者に提供することができるようにするものである。
【課題を解決するための手段】
【００１０】
本技術の一側面の画像処理装置は、利用者を前記被写体とする撮影作業を行わせる撮影部と、前記撮影作業により得られた前記利用者の画像に対して編集情報を入力する編集作業を行わせる編集部と、得られた編集済みの前記利用者の画像を所定のシール紙に印刷し、印刷された前記シール紙を排出し、写真シールとして前記利用者に提供する出力部と、前記撮影部で撮影された前記被写体の前記撮影画像から、前記被写体の人数を検出する検出部と、前記検出部により２以上の被写体が検出された場合、検出された前記被写体毎に順次画像処理を行う処理部とを備え、前記処理部は、前記撮影画像から、複数の被写体毎の所定の顔領域として、目、鼻、口の領域を除いた、額または顎の領域のうちのいずれかを含む領域を抽出する抽出部と、前記抽出部により抽出された複数の所定の顔領域毎に、領域内の色または明るさの少なくともいずれかの色味が、前記所定の顔領域毎に設定されている色味になるように補正する補正部とを備え、前記処理部による処理は、前記撮影部により撮影されている画像に対して行われるか、前記編集部により編集対象とされている画像に対して行われるか、前記出力部により出力される画像に対して行われか、または、他の装置に対して提供される画像に対して行われ、前記処理部により画像処理が施された画像が前記利用者に提供される。
【００１２】
前記補正部は、抽出された前記顔領域内の輝度値の平均値を算出し、その平均値が、前記設定されている色味に関する輝度値に近い値となるように、前記顔領域内の色味を補正するようにすることができる。
【００１３】
前記抽出部は、前記撮影画像から、前記所定の顔領域として目、鼻、口の領域のうちの少なくとも１つの領域を抽出し、前記補正部は、抽出された前記目、鼻、口の領域の少なくとも１つに対して、色、位置、大きさのうちの少なくとも１つをさらに補正するようにすることができる。
【００１５】
本技術の一側面の画像処理方法は、利用者を前記被写体とする撮影作業を行わせる撮影部と、前記撮影作業により得られた前記利用者の画像に対して編集情報を入力する編集作業を行わせる編集部と、得られた編集済みの前記利用者の画像を所定のシール紙に印刷し、印刷された前記シール紙を排出し、写真シールとして前記利用者に提供する出力部とを備える画像処理装置の画像処理方法において、前記撮影部で撮影された前記被写体の前記撮影画像から、前記被写体の人数を検出し、２以上の被写体が検出された場合、検出された前記被写体毎に順次画像処理を行うステップを含み、前記画像処理を行うステップは、前記撮影画像から、複数の被写体毎の所定の顔領域として、目、鼻、口の領域を除いた、額または顎の領域のうちのいずれかを含む領域を抽出し、抽出された複数の所定の顔領域毎に、領域内の色または明るさの少なくともいずれかの色味が、前記所定の顔領域毎に設定されている色味になるように補正するステップを含み、前記画像処理は、前記撮影部により撮影されている画像に対して行われるか、前記編集部により編集対象とされている画像に対して行われるか、前記出力部により出力される画像に対して行われか、または、他の装置に対して提供される画像に対して行われ、前記画像処理が施された画像が前記利用者に提供される。
【００１６】
本技術の一側面のプログラムは、利用者を前記被写体とする撮影作業を行わせる撮影部と、前記撮影作業により得られた前記利用者の画像に対して編集情報を入力する編集作業を行わせる編集部と、得られた編集済みの前記利用者の画像を所定のシール紙に印刷し、印刷された前記シール紙を排出し、写真シールとして前記利用者に提供する出力部とを備える画像処理装置の画像処理方法において、前記撮影部で撮影された前記被写体の前記撮影画像から、前記被写体の人数を検出し、２以上の被写体が検出された場合、検出された前記被写体毎に順次画像処理を行うステップを含み、前記画像処理を行うステップは、前記撮影画像から、複数の被写体毎の所定の顔領域として、目、鼻、口の領域を除いた、額または顎の領域のうちのいずれかを含む領域を抽出し、抽出された複数の所定の顔領域毎に、領域内の色または明るさの少なくともいずれかの色味が、前記所定の顔領域毎に設定されている色味になるように補正するステップを含み、前記画像処理は、前記撮影部により撮影されている画像に対して行われるか、前記編集部により編集対象とされている画像に対して行われるか、前記出力部により出力される画像に対して行われか、または、他の装置に対して提供される画像に対して行われ、前記画像処理が施された画像が前記利用者に提供される処理をコンピュータに実行させる。
【００１７】
本技術の一側面の画像処理装置、画像処理方法、およびプログラムにおいては、利用者を被写体とする撮影作業が行われ、撮影作業により得られた利用者の画像に対して編集情報が入力され、得られた編集済みの利用者の画像が所定のシール紙に印刷され、印刷されたシール紙が排出され、写真シールとして利用者に提供される。また撮影された被写体の撮影画像から、被写体の人数が検出され、２以上の被写体が検出された場合、検出された被写体毎に順次画像処理が行われる。また画像処理は、撮影画像から、複数の被写体毎の所定の顔領域として、目、鼻、口の領域を除いた、額または顎の領域のうちのいずれかを含む領域が抽出され、抽出された複数の所定の顔領域毎に、領域内の色または明るさの少なくともいずれかの色味が、所定の顔領域毎に設定されている色味になるように補正される。そして、画像処理は、撮影されている画像に対して行われるか、編集対象とされている画像に対して行われるか、出力される画像に対して行われか、または、他の装置に対して提供される画像に対して行われ、画像処理が施された画像が利用者に提供される。
【発明の効果】
【００１８】
本技術の一側面によれば、撮影された人物毎に、最適な写りとなるような処理を行うことができる。そして、そのような処理が施された画像を利用者に提供することができるようになり、利用者の満足度を高めることが可能となる。
【図面の簡単な説明】
【００１９】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】図８の制御部の詳細な構成例を示す機能ブロック図である。
【図１０】写真シール作成ゲームを提供する処理について説明するフローチャートである。
【図１１】編集処理について説明するフローチャートである。
【図１２】画像処理について説明するためのフローチャートである。
【図１３】画像処理について説明するための図である。
【図１４】画像処理について説明するための図である。
【発明を実施するための形態】
【００２０】
以下に、本技術の実施の形態について図面を参照して説明する。
【００２１】
［写真シール作成装置の構成例］
図１は、本発明の一実施形態に係る写真シール作成装置１の外観の構成例を示す斜視図である。
【００２２】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２３】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２４】
写真シール作成装置１は、主に、後述する撮影空間内に設けられた撮影ユニット１１、編集部１２、および事後接客部１３から構成される。撮影ユニット１１と編集部１２が接した状態で設置され、編集部１２と事後接客部１３が接した状態で設置される。
【００２５】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２６】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００２７】
なお、利用者の操作入力を受け付けるタッチパネルモニタとは別に、利用者のライブビュー（動画像）を表示するライブビューモニタが設けられるようにしてもよい。
【００２８】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂから構成される。
【００２９】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３０】
撮影部２１の側面パネル４２Ａ、連結部２３Ａ、および背景部２２の側面パネル５２Ａに囲まれることによって形成される開口が撮影空間の出入り口Ｇ１となる。出入り口Ｇ１の反対側に位置し、撮影部２１の側面パネル４２Ｂ、連結部２３Ｂ、および背景部２２の側面パネル５２Ｂに囲まれることによって形成される開口も撮影空間の出入り口Ｇ２となる。
【００３１】
背景部２２の上部には、背面パネル５１、側面パネル５２Ａ、および側面パネル５２Ａの反対側に位置する側面パネル５２Ｂによって支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３２】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００３３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３４】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３５】
図１に示す編集部１２の構成を正面側の構成とすると、２組の利用者が同時に編集処理を行うことができるように、編集部１２の正面側と背面側には編集処理に用いられる構成がそれぞれ設けられる。
【００３６】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂが設けられる。
【００３７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３８】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００３９】
図２は、写真シール作成装置１を別の角度から見た斜視図である。
【００４０】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４１】
図２に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４２】
ここで、写真シール作成ゲームの流れと、それに伴う利用者の移動について図３を参照して説明する。図３は、写真シール作成装置１を上から見た平面図である。
【００４３】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４４】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４６】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４７】
画像の印刷が終了したとき、利用者は、事後接客部１３に設けられた排出口からシール紙を受け取り、一連の写真シール作成ゲームを終えることになる。
【００４８】
次に、装置の各部の構成について説明する。
【００４９】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５０】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５１】
正面パネル４１のほぼ中央には撮影・表示ユニット８１が設けられる。撮影・表示ユニット８１は、カメラ９１、正面ストロボ９２、およびタッチパネルモニタ９３から構成される。
【００５２】
カメラ９１は、ＣＣＤ (Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５３】
カメラ９１を囲むように発光面が設けられた正面ストロボ９２は、他のストロボと同様にカメラ９１による撮影に合わせて発光し、被写体としての利用者の顔の付近を正面から照射する。
【００５４】
カメラ９１の下側に設けられたタッチパネルモニタ９３は、ＬＣＤ(Liquid Crystal Display)などのモニタと、それに積層されたタッチパネルにより構成される。タッチパネルモニタ９３は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９３には、適宜、背景等の画像が合成された後の動画像が表示される。
【００５５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５６】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５７】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。足元ストロボ８６の右側には、利用者がお金を投入する硬貨投入返却口８７が設けられる。
【００５８】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００５９】
図５は、背景部２２の撮影空間Ａ１側の構成例を示す図である。
【００６０】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１−１および背面中央ストロボ１０１−２が取り付けられる。
【００６１】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６２】
図６は、編集部１２の正面側（編集空間Ａ２−１側）の構成例を示す図である。
【００６３】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６４】
タブレット内蔵モニタ１３１は、タッチペン１３２Ａまたは１３２Ｂを用いて操作入力が可能なタブレットがＬＣＤなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６５】
編集部１２の左側には事後接客部１３が設けられる。
【００６６】
図７は、事後接客部１３の正面側の構成例を示す図である。
【００６７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客処理に用いられる画面が表示される。
【００６８】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６９】
非接触型ＩＣリーダ／ライタ１６３は、近接された非接触型ＩＣと通信を行い、非接触型ＩＣからのデータの読み出しや非接触型ＩＣに対するデータの書き込みを行う。
【００７０】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７１】
スピーカ１６５は、事後接客処理の案内音声、ＢＧＭ、効果音等の音を出力する。
【００７２】
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７３】
制御部２０１はＣＰＵ (Central Processing Unit)などよりなり、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ (Random Access Memory)２０７が接続される。制御部２０１には、撮影部２１、編集部１２、事後接客部１３、および印刷部２１１の各構成も接続される。
【００７４】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００７５】
通信部２０３はインターネットなどのネットワークのインタフェースであり、制御部２０１による制御に従って外部の装置と通信を行う。
【００７６】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７７】
ＲＯＭ２０６には、制御部２０１において実行されるプログラムやデータが記憶されている。ＲＡＭ２０７は、制御部２０１が処理するデータやプログラムを一時的に記憶する。
【００７８】
撮影部２１は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００７９】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００８０】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８１】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１−１、背面中央ストロボ１０１−２、背面左ストロボ１０２，背面右ストロボ１０３が設けられる。各ストロボの内部には蛍光灯も設けられる。
【００８２】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００８３】
カメラ９１は、制御部２０１による制御に従って撮影を行い、撮影によって得られた画像を制御部２０１に出力する。
【００８４】
編集部１２Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部１２Ｂも編集部１２Ａと同一の構成を有しており、編集空間Ａ２−２における編集処理を行う。
【００８５】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８６】
事後接客部１３は、事後接客空間Ａ３における事後接客処理を行う構成であるタブレット内蔵モニタ１６１、タッチペン１６２Ａ，１６２Ｂ、非接触型ＩＣリーダ／ライタ１６３、およびスピーカ１６５から構成される。
【００８７】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいる利用者を相手とした処理を行う構成となる。
【００８８】
なお、写真シール作成ゲームにおいて作成された画像の用途は、シール紙に印刷されるのみに限られない。例えば、通信部２０３、非接触型ＩＣリーダ／ライタ１６３などを介して写真シール作成ゲームにおいて作成された画像の画像データが利用者の携帯端末などに送信され、携帯端末においてそれらの画像を表示させることも可能である。例えば、利用者は、写真シール作成ゲームにおいて作成された画像を、携帯電話機の待受け画面の画像として利用することもできる。
【００８９】
次に、制御部２０１について説明する。図９は、制御部２０１がＲＯＭ２０６などに格納されているプログラムを実行することにより実現される機能ブロックの構成例を示している。
【００９０】
制御部２０１は、写真シール作成ゲームを開始する際に投入される代金に関する処理や利用者グループを撮影する等の写真シール作成ゲームの撮影作業の工程に関する処理を行う撮影処理部２８２、撮影画像に対する落書き編集等の写真シール作成ゲームの編集作業の工程に関する処理を行う編集処理部２８３、シール紙の印刷等の写真シール作成ゲームの印刷の工程に関する処理を行う印刷処理部２８４、および、編集作業を終了した利用者グループを接客する写真シール作成ゲームの事後接客の工程に関する処理を行う事後接客処理部２８５を有する。
【００９１】
すなわち制御部２０１は、写真シール作成ゲームの各工程に関する処理の制御を行う。
【００９２】
次に、図１０のフローチャートを参照して、写真シール作成ゲームを提供する写真シール作成装置１の処理について説明する。
【００９３】
ステップＳ１１において、写真シール作成装置１の制御部２０１の撮影処理部２８２は、所定の金額分の硬貨が投入されたか否かを硬貨処理部２２１から供給される信号に基づいて判定し、投入されたと判定するまで待機する。
【００９４】
硬貨が投入されたとステップＳ１１において判定した場合、ステップＳ１２において、撮影処理部２８２は、撮影部２０８を制御し、撮影処理を実行する。このとき、例えば、カメラ９１に取り込まれた被写体の動画像をタッチパネルモニタ９３にライブビュー表示させ、撮影空間Ａ１にいる利用者を被写体として撮影する撮影処理が行われる。
【００９５】
ステップＳ１３において、撮影処理部２８２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【００９６】
ステップＳ１４において、編集処理部２８３は、編集空間Ａ２−１と編集空間Ａ２−２のうち、撮影処理を終えた利用者の移動先とした方の編集空間に対応する編集部２０９を制御し、編集処理および印刷前設定処理を行う。具体的には、編集処理部２８３は、編集対象画像として選択された撮影画像に合成する合成用画像を利用者に選択させ、選択された合成用画像を撮影画像に合成させ、得られた合成画像に対して、利用者による編集操作に従って編集を行う。
【００９７】
なお、編集処理および印刷前設定処理の詳細については、図１１を参照して後述する。
【００９８】
ステップＳ１５において、編集処理部２８３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【００９９】
ステップＳ１６において、印刷処理部２８４は、利用者により選択された画像をプリンタ２４１に出力してシール紙に印刷させる印刷処理を行う。
【０１００】
ステップＳ１７において、事後接客処理部２８５は、事後接客部２１０を制御し、印刷終了待機中の利用者に対する事後接客処理を行う。具体的には、事後接客処理部２８５は、例えば、撮影画像や編集済みの画像を携帯端末に送信する携帯送信ゲーム処理を事後接客処理として行い、携帯端末の電子メールアドレスの入力画面や、送信する画像の選択画面をタブレット内蔵モニタ１６１に表示させ、利用者による操作に応じて画像を送信する。
【０１０１】
印刷が終了すると、ステップＳ１８において、事後接客処理部２８５は、印刷が終了した旨をタブレット内蔵モニタ１６１に表示させ、プリンタ２４１は、画像が印刷されたシール紙をシール紙排出口１６４に排出し、処理を終了させる。
【０１０２】
次に、図１１のフローチャートを参照して、図１０のステップＳ１４の編集処理および印刷前設定処理の詳細な例について説明する。
【０１０３】
ステップＳ５１において、編集処理部２８３は、編集空間Ａ２−１と編集空間Ａ２−２のうち、撮影処理を終えた利用者の移動先とした方の編集空間のタブレット内蔵モニタ１３１に編集対象画像の選択画面を表示させ、利用者による選択を受け付ける。編集対象画像の選択画面には、例えば、撮影処理によって得られた撮影画像が一覧表示される。
【０１０４】
ステップＳ５２において、合成用画像の選択が行われる。例えば、撮影画像に合成される合成用画像を選択するのに用いられる合成用画像の選択画面が表示され、利用者が好みの合成用画像を選択することで行われる。
【０１０５】
ステップＳ５３において、編集処理部２８３は、撮影画像に対する画像処理を実行する。これにより、被写体の画像に合成される背景や前景などの画像（合成用画像）の選択等が行われ、その合成用画像が被写体の画像に合成される。また、被写体の画像は、被写体毎に最適な写りとなるように処理が施されるが、その処理もステップＳ５３において実行される。ステップＳ５３における処理、特に、被写体毎に最適な写りとなるような処理については、後述する。
【０１０６】
ステップＳ５４において、編集処理部２８３は、利用者の名前の入力を受け付ける。ここで入力される利用者の名前は、例えば、「お名前スタンプ」と称される編集ツールに用いられる。「お名前スタンプ」は、例えば、写真シールとして印刷される画像に利用者の名前をスタンプするためのツールとされる。
【０１０７】
ステップＳ５５において、編集処理部２８３は、編集対象画像として選択された撮影画像であって、ステップＳ５３の処理が施された画像をタブレット内蔵モニタ１３１に表示し、利用者による編集入力を受け付ける。これにより、タッチペン１３２Ａ、タッチペン１３２Ｂを用いた、いわゆる落書き編集が行われる。このとき、利用者は、スタンプツールやペンツールなどの編集ツールを用いて編集対象画像に落書きする。
【０１０８】
ステップＳ５６において、編集処理部２８３は、所定の時間（制限時間）が経過したか、または、終了ボタンが操作されたか否かを判定し、制限時間にも達しておらず、終了ボタンも操作されていないと判定した場合、編集処理部２８３は、処理をステップＳ５５に戻し、それ以降の処理を繰り返す。
【０１０９】
ステップＳ５６において、所定の時間が経過した、または、終了ボタンが操作されたと判定した場合、編集処理部２８３は、処理をステップＳ５７に進める。ステップＳ５７において、編集処理部２８３は、コラージュ画像を生成する。コラージュ画像は、複数の被写体の画像を組み合わせたものを１枚のシールの画像としてシール紙に印刷するための画像とされる。すなわち、コラージュ画像は、撮影された撮影画像から所定の領域がトリミングされるなどした画像を含む画像が複数組み合わせられて得られた１枚の画像とされる。
【０１１０】
このコラージュ画像は、利用者がコラージュ画像を生成するための画像の撮影などを行う必要はなく、撮影された撮影画像に基づいて、自動的にコラージュ画像が生成されるようになされている。また、予め定められたデザインパターンに基づいて、複数のコラージュ画像が生成されるようにしても良い。例えば、デザインパターンＡとデザインパターンＢに対応するコラージュ画像が生成される。デザインパターンによって、例えば、コラージュ画像を構成する各画像の配置位置などが定められるようにしても良い。
【０１１１】
ステップＳ５８において、編集処理部２８３は、利用者にコラージュ画像を選択させる。このとき、例えば、タブレット内蔵モニタ１３１に、複数のデザインパターンに対応するコラージュ画像がそれぞれ表示される。そして、利用者により、複数のデザインパターンのコラージュ画像うちのいずれかが選択される。
【０１１２】
ステップＳ５９において、編集処理部２８３は、利用者に写真シールの分割数を選択させる。このとき、例えば、タブレット内蔵モニタ１３１に、複数の分割パターンが表示される。そして、利用者により、複数の分割パターンのうちのいずれかが選択される。
【０１１３】
このようにして、編集処理が実行される。
【０１１４】
［画像処理について］
画像処理について説明する。画像処理は、ここでは、ステップＳ５３（図１１）において行われるとして説明するが、他のタイミングで行われるようにしても勿論良い。ここで説明する画像処理は、例えば、撮影された利用者の顔の頬の部分の色を適切な色に変換する処理であり、そのような処理が施された画像が提供されるタイミングは、どのようなタイミングでも良い。
【０１１５】
例えば、ステップＳ１２（図１０）において、撮影処理が行われるが、撮影処理が行われるとき、カメラ９１に取り込まれた被写体の動画像をタッチパネルモニタ９３にライブビュー表示される。このライブビュー表示される画像は、画像処理後の画像であるようにしても良い。このようにした場合、ステップＳ１２の処理に、以下に説明する画像処理が含まれる。またステップＳ１２以降の処理において、利用者に提示される画像は、画像処理が施された画像とされる。
【０１１６】
または、ライブビューに表示される画像には、画像処理を施さず、撮影結果の表示である撮影画像を、画像処理後の画像であるようにしてもよい。
【０１１７】
また例えば、ステップＳ１４（図１０）において、編集処理が行われるが、この編集処理が行われるとき、編集空間のタブレット内蔵モニタ１３１に編集対象画像の選択画面が表示される。この編集対象画像として選択対象とされている複数の画像と、選択され編集対象とされた画像の少なくとも一方の画像は、画像処理後の画像であるようにしても良い。このようにした場合、ステップＳ１４の処理に、以下に説明する画像処理が含まれる。またステップＳ１４以降の処理において、利用者に提示される画像は、画像処理が施された画像とされる。ここでは、このような場合を例にあげて説明を続ける。
【０１１８】
また例えば、ステップＳ１６（図１０）において、印刷処理が行われるが、この印刷処理が行われるとき、画像処理が行われ、画像処理が施された画像が印刷されるようにしてもよい。このようにした場合、ステップＳ１６の処理に、以下に説明する画像処理が含まれる。
【０１１９】
またここでは図示していないが、例えば携帯電話機などの携帯端末に、撮影され、編集が施された画像が、写真シール作成装置１から提供されるように構成した場合、提供されるときに、画像処理が行われるようにしてもよい。
【０１２０】
図１２は、画像処理に係わる処理について説明するためのフローチャートである。ステップＳ１０１において、撮影画像から顔が検出され、その顔の数により撮影人数が判定される。画像から顔を検出する技術は、既存の技術を適用することができる。ここでは、顔が検出されるだけでなく、さらに顔のパーツ（の領域）も検出されるとして説明する。顔のパーツとは、人の顔を構成するまゆげ、目、鼻、口、耳などの器官のことである。
【０１２１】
ステップＳ１０２において、撮影画像から検出された顔数に応じて人数を検出し、２人以上であるか否かが判断される。ステップＳ１０２において２人以上であると判断された場合、ステップＳ１０３に処理が進められる。ステップＳ１０３において、検出された顔の所定の領域、例えば、目の位置や顔の輪郭から領域が抽出される。そして、ステップＳ１０４において、抽出された領域内に対して所定の補正が行われる。
【０１２２】
抽出される顔の所定の領域とは、例えば、頬、顎、額などの領域であり、これらの領域が抽出された場合、その領域内の肌の色味が、美しいとされる肌の色味に近い色味に変換されたり、適切とされる明度に補正されたりする。また、顔のパーツ（の領域）も検出されているので、それらのパーツも、美しいとされる形に補正される。これらの処理については、図１３以降を参照して説明するとし、先にフローチャートの説明を行う。
【０１２３】
なお補正は、明るさ、色の濃淡、色相、彩度、明度、コントラストのいずれかが少なくとも変換される補正である。また、以下の説明においては、これらのうちのいずれかの変換が行われることを、色味を変換すると適宜記述する。
【０１２４】
ステップＳ１０４において、抽出した領域内の補正が行われると、ステップＳ１０５において、未処理の顔があるか否かが判断される。ステップＳ１０５において、未処理の顔があると判断された場合、ステップＳ１０３に処理が戻され、未処理の顔と判断された顔に対して、ステップＳ１０３以降の処理が繰り返される。一方、ステップＳ１０５において、未処理の顔はないと判断された場合、画像処理の処理は終了される。
【０１２５】
一方、ステップＳ１０２において、撮影画像から検出された顔は、２人以上ではないと判断された場合、換言すれば、１人であると判断された場合、ステップＳ１０６に処理が進められる。ステップＳ１０６において、検出された１人の顔の所定の領域が抽出され、ステップＳ１０７において、抽出された領域内が補正される。このステップＳ１０６とステップＳ１０３の処理は、基本的に、ステップＳ１０３とステップＳ１０４の処理と同様である。
【０１２６】
このように、本実施の形態においては、ステップＳ１０３乃至Ｓ１０５の処理が繰り返されることで、人物毎（顔毎）に補正が行われる。例えば、撮影画像から２人以上の顔が検出された場合、検出された顔毎、換言すれば、人物毎に補正が行われる。さらに換言するに、本実施の形態においては、画像毎に補正を行うのではなく、画像内の人物毎に補正が行われる。よって、人物毎に適した補正を行うことができる。
【０１２７】
例えば、２人の人物が撮影された撮影画像を補正することを考える。このとき、画像単位で明度を変換する補正を行った場合、換言すれば、撮影画像全体に、明度を変換する同一の補正を一律に行った場合、一方の人物は適切な明るさに補正されたとしても、他方の人物は明るすぎるといった補正が行われてしまう可能性がある。これは、人により地肌の色が異なるため、同じ明度の補正を施すと、地肌が明るい人はさらに明るく補正されてしまうからである。このような、画像単位で補正を行う場合、画像自体がのっぺりとした画像となってしまう可能性がある。
【０１２８】
しかしながら、本実施の形態のように、画像内の人物単位で明度を変換する補正を行った場合、例えば、地肌が明るい一方の人は明度を変換せず、地肌が明るくない他方の人は明度を変換するといった補正を行うことができるようになる。よってそれぞれの人物を、適切な明るさに補正することが可能となる。このような補正を行うことで、人物毎に最適な写りとなり、表情が豊かで立体感のあるより良い画像とすることが可能となる。
【０１２９】
また、本実施の形態においては、顔毎に、かつ、顔から検出された領域毎に補正が行われる。例えば、顔の中でも明るい部分と明るくない部分があったり、明るくしないほうが美しく見える部分があったりと、さまざまである。よって、仮に、１つの顔に同一の補正、例えば、明るくする補正を行った場合、顔の中で、明るさが適切な部分と明るすぎる部分があるような顔に補正されてしまう可能性がある。
【０１３０】
しかしながら、本実施の形態においては、顔内の所定の領域毎に、その領域内の肌の色として適切な色となるように補正が行われるため、明るさが適切な部分と明るすぎる部分があるような顔に補正されてしまうようなことはなく、顔全体が適切な明るさとなるような補正を行うことが可能となる。
【０１３１】
なお、ステップＳ１０２において検出された顔が１人であると判断された場合、ステップＳ１０６、ステップＳ１０７の処理を省略し、画像処理を終了しても良い。１人の場合、画像内の他の人物と比較して、明るいとか、色味が変であるとかいう判断が、利用者側で行われないため、仮に、補正をしなくても、違和感などの満足度を低下させるようなことは少ないと考えられる。よって、１人の場合には、画像処理の処理を省略するようにしても良い。
【０１３２】
［領域の抽出と補正について］
次に、顔の検出、顔内から所定の領域の抽出、抽出された領域内の補正について説明する。ここでは、図１３に示すように、２人の人物が撮影された場合を例にあげて説明する。図１３に示したような画像が処理対象とされた場合、ステップＳ１０１の処理において、顔３２１と顔３２２の２人の顔が検出される。そして、ステップＳ１０２において、２個の顔が検出されたことから、撮影人数は２人であると判断され、処理はステップＳ１０３に進められる。
【０１３３】
顔が検出される際、目、鼻、口のそれぞれが検出される。顔の検出や目、鼻、口などの顔のパーツの検出には、既存の技術を適用することができる。
【０１３４】
図１３に示したように、顔３２１と顔３２２が撮影されたときに、ステップＳ１０１において、顔検出処理が実行され、顔３２１、顔３２２の順に検出された場合、この検出順に、処理対象とされる。よってこの場合、顔３２１が先に処理対象とされ、その後、顔３２２が処理対象とされる。
【０１３５】
すなわち、この場合、まず、顔３２１に対して、ステップＳ１０３、ステップＳ１０４の処理が実行される。そして、ステップＳ１０５において、未処理の顔があるかとの判断が実行されたとき、未処理の顔として、顔３２２があると判断され、その顔３２２に対して、再度ステップＳ１０３とステップＳ１０４の処理が繰り返される。このように、顔毎に処理が施される。
【０１３６】
顔３２１と顔３２２に対する処理は、基本的に同様であるので、ここでは、顔３２１を例にあげて説明を続ける。顔３２１が処理対象とされた場合、ステップＳ１０３の処理として、図１４に示すように、顔３２１の所定の領域が抽出される。例えば、頬の部分を含む所定の領域として領域３４１が抽出され、顎の部分を含む所定の領域として領域３４２が抽出される。
【０１３７】
頬の部分を含む領域３４１は、例えば、既に検出されている目の位置と口の位置を用いて設定することができる。例えば、目の下側から口の上側の間の領域とし、所定の形状、図１４では四角形で囲まれる領域を、頬を含む領域３４１として設定する。所定の形状として、頬の形状を考慮し、四角形の各辺は、半円形状などの曲線であっても良い。
【０１３８】
また、頬の部分をさらに抽出するようにした場合、領域３４１から鼻の領域を取り除くことで、頬の部分を残すことができる。このようにして、頬の部分（領域３４１）が抽出された場合、その領域３４１内の肌に対して補正が行われる。ステップＳ１０４における補正内容の１つとしては、頬の部分が明るくなるような補正がある。頬を明るくすることで、自然な笑顔の優しい雰囲気の写りの顔画像とすることが可能である。
【０１３９】
どの程度明るくするかは、例えば、輝度値を用いて決定することができる。領域内の輝度値の平均値を算出し、その輝度値の平均値（平均輝度値と記述する）が、予め設定されている輝度値（設定輝度値と記述する）に近くなるように補正が行われるように構成することができる。設定輝度値は、美しいとされる頬の明るさから導き出された輝度値とされる。
【０１４０】
予め設定されている輝度値に一致させるのではなく、近い輝度値に平均輝度値が補正される。例えば、肌の色が明るい、または肌の色が暗い場合など、平均輝度値と設定輝度値に開きがあるようなときに、平均輝度値が設定輝度値になるように補正してしまうと、本来の利用者の肌の色と異なる色になってしまい、利用者が違和感など不快な感情を持つ可能性がある。そこで、設定輝度値は、１つではなく、複数設けておき、平均輝度値に応じて設定輝度値が選択的に用いられ、その設定輝度値に近い値に平均輝度値がなるように補正されるようにしても良い。
【０１４１】
また、領域３４１内の輝度値が、全て設定輝度値になるように補正するのではなく、領域内の位置により、例えば、頬の中央部分が最も明るく、中央から徐々に暗くなるように補正される。設定輝度値には、幅があり、その幅内に領域内の輝度値が収まるように補正されるように構成することも可能である。
【０１４２】
また、ステップＳ１０４における補正内容の１つとして、頬の補正の場合、チーク（頬紅）の色を反映するような補正が行われるようにすることも可能である。チークの色を反映するとは、利用者がチークを塗っている場合、そのチークの色がより美しく見える明るさ、色に補正することを意味する。また、利用者がチークを塗っていない場合、利用者の頬の色を、上述したように輝度値を基に補正するとともに、輝度値に応じ、頬の血色などがより美しく見えるように、頬の所定の部分に色を付けるなどの補正が行われるようにしても良い。すなわち、利用者がチークを塗っていない場合、チークを塗ったような頬に画像処理がされるようにしても良い。
【０１４３】
頬の場合と同じく、ステップＳ１０４における補正内容の１つとして、顎を含む領域３４２は、口の下側から顎の先端までの所定の形状の領域として設定することができる。そして、顎を含む領域３４２内の肌に対して、上記した頬の場合と同じく、明るくするなどの補正が行われる。顎の部分を明るくすることで、顎がすっきりとした写りの画像を提供することが可能となる。
【０１４４】
なお、顔の輪郭まで、ある程度の精度で検出できるような技術を用いた場合、領域３４１や領域３４２の形状は、その一部が輪郭と一致する形状となるようにしても良い。輪郭と一致する形状とすることで、より細かい部分まで補正することが可能となる。
【０１４５】
また領域内を補正することで、領域内と領域外で明るさや色が異なり、その違いが利用者に認識されてしまう可能性がある。よって、領域の境界付近は、明るさや色が徐々に変化し、補正した箇所と補正していない箇所とが区別が付かないように処理されることが好ましく、上記補正には、そのような画像処理も含まれる。
【０１４６】
図１４には、図示していないが、額、鼻筋、鼻の下などもそれぞれ抽出され、補正されるようにしても良い。額は、眉毛の上側から髪の毛の間の矩形領域を検出し、その領域を額の部分であるとして処理することができる。額の場合、額が明るいと額が目立ちすぎてしまい写りとして好ましくない画像となる可能性がある。よって、額は、少し暗めに補正することで、全体としてより写りのより画像を提供できるようになる。
【０１４７】
このように、顔を補正するとき、顔の部位に適した明るさや色合いに補正される。本実施の形態おいては、顔の部位をそれぞれ検出し、それぞれ異なる補正を行うため、このような、顔の部位毎に適した補正を行うことが可能となる。
【０１４８】
顔の検出の際、鼻の位置も検出されている場合、鼻筋を検出し、ステップＳ１０４における補正内容の１つとして、その鼻筋を補正するようにしても良い。鼻として検出された中央部分を補正する領域に設定し、その領域内の肌の色が明るくなるように補正が行われる。鼻筋を明るくする（ハイライトを入れる）ことで、鼻筋の通った顔となり、写りの良い画像を提供することが可能となる。
【０１４９】
また、鼻が検出された場合、鼻と口の間の部分を補正領域として検出し、補正するようにしても良い。鼻と口の間の部分に、例えば、影があると、口髭のように見えてしまう可能性がある。このようなことが無いように、鼻と口の間の部分を明るく補正することで、より写りの良い画像を提供することが可能となる。
【０１５０】
このような補正は、撮影画像内の人物毎に行われる。すなわち、図１３に示した撮影画像の場合、２人が写っているので、顔３２１に対して補正が行われ、その後、顔３２２に対して補正が行われる。なお、順次補正が行われるのではなく、顔３２１と顔３２２に対する補正が、並行して処理されるようにしても良い。
【０１５１】
またここでは、人物毎（顔毎）に明るさや色味が補正されるとして説明した。この補正は、個々の顔が、設定輝度値に近い明るさになるような補正である。さらに、画像内の複数の顔の１つを基準の顔とし、その顔との相対で、個々の顔の明るさや色味が補正されるようにしても良い。例えば、画像内から３人の顔が検出された場合、そのうちの１人の顔の色味を基準とし、その基準とされた顔より暗い顔の人は明るく補正し、その基準とされた顔より明るい顔は暗く補正するといった補正が行われるようにしても良い。このような補正が行われることで、画像内の顔の明るさを揃えることができ、画像全体としてもより良い写りの画像を提供することができる。
【０１５２】
また、被写体の性別により設定輝度値が変更されるように構成することも可能である。例えば、撮影時に、ライブビューに性別毎の枠を表示し、その性別毎の枠内に利用者が収まるような撮影を、利用者に行わせることで、利用者の性別が判別されるようにしても良い。性別が判別されるようにした場合、性別毎に設定輝度値が設けられ、その性別毎に設けられた設定輝度値に、それぞれの利用者の画像から算出された平均輝度値が近づくように補正される。
【０１５３】
または、顔検出の際、性別まで検出するように構成しても良い。性別まで検出するようにした場合、男性の顔画像から抽出された特徴量と女性の顔画像から抽出された特徴量が保持され、その特徴量と、被写体の顔画像から抽出された特徴量とがマッチングされることで性別が判定される。特徴量は、例えば、眉毛、目、鼻、口、耳といった顔を構成するパーツ間の距離や、各パーツの大きさなどから算出される値である。このような特徴量は、複数の男性のサンプル画像と、複数の女性のサンプル画像がそれぞれ処理されることで、男性の場合の特徴量と女性の場合の特徴量とが算出される。
【０１５４】
このような特徴量を用いたマッチング処理を行うことで、性別を検出し、性別毎に設けられた設定輝度値に、それぞれの利用者の画像から算出された平均輝度値が近づくように補正されるようにしても良い。
【０１５５】
また、サンプル画像を、年齢（年齢層）別にして、それぞれの年齢毎に特徴量を算出するようにすれば、同じように、特徴量のマッチングにより、年齢を判定することができる。よって、年齢別に設定輝度値を設け、利用者の年齢に合った補正が行われるようにすることも可能である。
【０１５６】
以上のように、人物毎に適した色や明るさなどに補正することに加え、目や口の位置や形をステップＳ１０４における補正内容の１つとして補正するようにしても良い。目を補正する場合、目全体を拡大したり、目尻や目頭の位置を調整したり、黒目の部分を拡大したりする補正が行われる。このような目の補正が行われることで、自然な笑顔の優しい雰囲気の写りの画像を提供することができる。
【０１５７】
また口の位置を補正する場合、笑顔になるように口や口角の位置が補正される。笑顔になるように行われる補正としては、口は口角の位置を上に移動させるなどの補正がある。また唇の厚さも補正されるようにしても良い。また唇に赤みを付けるなど色の補正も行われるようにしても良い。このように口や口角の位置を補正することで、自然な笑顔の優しい雰囲気の写りの画像を提供することができる。
【０１５８】
このような目や口の補正も行うことで、より写りのより画像を利用者に提供することができ、利用者の満足度を高めることが可能となる。
【０１５９】
このような抽出や補正は撮影人数が１人のときにも、ステップＳ１０６、ステップＳ１０７の処理として行われるため、仮に１人で撮影したとしても、写りのより画像を利用者に提供することができ、利用者の満足度を高めることが可能となる。
【０１６０】
図１１のフローチャートを参照して説明したように、ステップＳ５２において合成用画像の選択が行われ、その後のステップＳ５３において画像処理が行われることで、編集以降には、画像処理後の画像が表示されるようにすることができる。よって、利用者に画像処理が行われたことを意識させることなく、写真シール作成装置１における編集（落書き）などの行為を楽しませることができる。
【０１６１】
合成用画像の選択が行われた後に、上述した色味、明度、位置調整といった補正を行う画像処理が行われる場合、選択された合成用画像を考慮した色味、明度、位置調整といった補正が行われるようにしても良い。例えば、選択された合成用画像が、比較的明るい色の画像であった場合、その明るさに適した色味や明度に、各顔が補正されるようにしても良い。
【０１６２】
このように、撮影された撮影画像内の人物毎に、頬などの顔の所定の領域が抽出され、色味や明度の補正が行われ、人物毎に顔のパーツの位置調整などの補正が行われる。よって人物毎に適した補正を施すことが可能となり、人物毎に最適な写りとなっている画像を利用者に提供することができる。また、表情が豊かで立体感のあるより良い写りの画像を提供することが可能となる。
【０１６３】
なお、撮影時のライブビューや撮影結果である画像の全てに画像処理を施すことで、撮影時からより良い写りの画像を提供でき、利用者がいずれの画像を編集対象画像として選択しても、より良い写りの画像を提供することができる。また、編集対象画像の選択後に、編集対象画像として選択された画像に対して画像処理を施すと、利用者が気に入った画像、かつ、編集したい画像にのみ画像処理を施すことができるようになり、利用者の意図する撮影画像に対して、より良い写りの撮影画像を提供することができる。
【０１６４】
また上記した補正の仕方では、領域や器官ごとに目的に応じた補正をする規則、例えば、上述のように笑顔にする補正規則があり、その規則に応じて補正される。このような補正に関する規則は、別途管理され、規則内容の追加や削除が可能に構成することも可能である。例えば、笑顔にする補正規則の他に、悲しい顔にする補正規則や、怒っている顔に補正規則などを追加、削除しても良い。
【０１６５】
なお、上述した実施の形態においては顔を検出し、顔を補正するとしたが、顔以外の部分も検出するようにし、顔以外の部分も補正するようにしても良い。例えば、服の部分を検出し、その服の色にあった補正、例えば柄物の服であった場合、その柄が綺麗に写るような色味に補正されるようにしても良い。
【０１６６】
［記録媒体について］
上述した一連の処理は、ハードウェアにより実行させることもできるし、ソフトウェアにより実行させることもできる。上述した一連の処理をソフトウェアにより実行させる場合には、そのソフウェアを構成するプログラムが、ネットワークや記録媒体からインストールされる。
【０１６７】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているＲＯＭ２０６や、記憶部２０２に含まれるハードディスクなどで構成される。
【０１６８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１６９】
また、本明細書において、システムとは、複数の装置により構成される装置全体を表すものである。
【０１７０】
なお、本技術の実施の形態は、上述した実施の形態に限定されるものではなく、本技術の要旨を逸脱しない範囲において種々の変更が可能である。
【符号の説明】
【０１７１】
１  写真シール作成装置，  １１  撮影ユニット，  １２  編集部，  ２０１  制御部，  ２０２  記憶部，  ２８２  撮影処理部，  ２８３  編集処理部，  ２８４  印刷処理部，  ２８５  事後接客処理部
【図１】
0005748651.tif 000002
【図２】
0005748651.tif 000003
【図３】
0005748651.tif 000004
【図４】
0005748651.tif 000005
【図５】
0005748651.tif 000006
【図６】
0005748651.tif 000007
【図７】
0005748651.tif 000008
【図８】
0005748651.tif 000009
【図９】
0005748651.tif 000010
【図１０】
0005748651.tif 000011
【図１１】
0005748651.tif 000012
【図１２】
0005748651.tif 000013
【図１３】
0005748651.tif 000014
【図１４】
0005748651.tif 000015